(57)【要約】【課題】  ウェットワイパーを気密性高く長期間保管できるウェットワイパー収納容器を提供する。【解決手段】  ウェットワイパー収納容器は、上面に開口部を有する容器本体と、開口部を閉鎖する蓋体とを有し、容器本体には開口部の全周を囲う第１リブと第２リブとが形成される。第１リブと第２リブの間隙に環状のパッキンを設け、蓋体には開口部を閉鎖した状態において、パッキンを押圧する第３リブと、第３リブの内側に第３リブに沿って開口部の全周を囲う第４リブとが形成される。蓋体を閉鎖するとパッキンが第３リブと容器本体の間隙を封止し密閉するので、繰り返し使用しても気密性が低下することなくウェットワイパー保管し使用することができる。【選択図】  図２
2016124545.tif 000002
【特許請求の範囲】
【請求項１】
上面に開口部を有する容器本体と、前記開口部を閉鎖する蓋体とを有し、
前記容器本体は、前記開口部の全周を囲う第１リブと、前記第１リブの全周を囲う第２リブとが形成され、前記第１リブと前記第２リブの間隙に環状のパッキンを備え、
前記蓋体は、前記開口部を閉鎖した状態において、前記パッキンを押圧し前記開口部の全周を囲う第３リブと、前記第３リブの内側に第３リブに沿って前記開口部の全周を囲う第４リブとが形成され、前記第４リブは前記容器本体の側壁の延長線上に位置することを特徴とするウェットワイパー収納容器。
【請求項２】
前記蓋体は、前記開口部を覆う天板部と、前記天板部に連続し前記容器本体の側壁を覆う側板部と、を有することを特徴とする請求項１に記載のウェットワイパー収納容器。
【請求項３】
前記蓋体は、一辺が回転可能に前記容器本体に保持され、
前記一辺と対向する側の前記側板部には、前記容器本体に設けられた突起部と係合する固定部が設けられていることを特徴とする請求項２に記載のウェットワイパー収納容器。
【請求項４】
前記固定部は、前記側板部の横方向の中央に設けられ、前記中央における縦方向において、前記蓋体の前記天板部と前記側板部とを結ぶ最大屈曲点に対応する部分から前記固定部までの蓋体の表面に沿った距離Ａと、前記固定部から前記側板部の端部までの蓋体の表面に沿った距離Ｂは、
１．４Ａ≦Ｂ
であることを特徴とする請求項３に記載のウェットワイパー収納容器。
【請求項５】
前記蓋体の開き角は、９０°以上１２０°以下の範囲であることを特徴とする請求項３または４に記載のウェットワイパー収納容器。
【請求項６】
前記パッキンは、環状に形成されており、断面が中空円筒状であることを特徴とする請求項１から５のいずれか１項に記載のウェットワイパー収納容器。
【請求項７】
前記容器本体は、前面と、前記前面に対向し底面からの高さが前記前面よりも高い後面とを有し、
前記前面は前記容器本体の外側に凸となる曲面に形成されていることを特徴とする請求項１から６のいずれか１項に記載のウェットワイパー収納容器。
【請求項８】
前記前面の横方向の長さは、収納されるウェットワイパーの短辺の長さ以上、長辺の長さ未満であり、
前記後面の高さは、前記収納されるウェットワイパーの長辺の長さ以上であることを特徴とする請求項７に記載のウェットワイパー収納容器。
【発明の詳細な説明】
【技術分野】
【０００１】
本発明は掃除用のウェットワイパー収納容器に関する。
【背景技術】
【０００２】
トイレ周辺の清掃のために、複数のパルプ紙を積層し折り畳んで厚みをもたせたウェットワイパーが提供されている。このようなウェットワイパーは、清掃を簡便にするために予め水、アルコールなどの洗浄用の薬液が含浸されている。このため、ウェットワイパーは薬液が蒸発しないように気密性の高い専用のウェットワイパー収納容器で保管され、ウェットワイパー収納容器から１枚ずつ取り出して使われている。
【０００３】
ウェットワイパー収納容器として、特許文献１には容器本体の開口周縁部が、蓋体の下方周縁部の内面に嵌め込み可能とした収納容器に、矩形のウェットワイパーを展開状態で積層して収納し、上側のウェットワイパーから順に取り出す容器が開示されている。また、特許文献２には容器本体の開口部の周縁部に設けた溝部に蓋部の周縁部が嵌入して密封する収納容器に、ウェットワイパーを後面部に寄り掛かるように立てて収容し、前面部から順にウェットワイパーを取り出す収納容器が開示されている。
【０００４】
しかしながら、容器本体と蓋体を嵌め込む構造の収納容器では、開口部全周を均一な力で密封することは難しい。気密性を高めるために容器本体と蓋体との嵌合をきつくすると、蓋体の開閉に大きな力を要し清掃中にウェットワイパーを１枚ずつ取り出して使用するのが不便になる。また、環境負荷を低減するために、詰め替え用のウェットワイパーが提供され、ウェットワイパー収納容器は長期間繰り返し使用されるが、蓋体の開閉が繰り返されることにより容器が磨耗、変形すると、容器本体と蓋体の嵌合が緩みウェットワイパー収納容器の気密性が保てなくなる。
【先行技術文献】
【特許文献】
【０００５】
【特許文献１】特開２００４−３２９３８２号公報
【特許文献２】特開２００７−１１２４５７号公報
【発明の概要】
【発明が解決しようとする課題】
【０００６】
本発明は、このような事情に鑑みてなされたものであり、長期間繰り返し使用しても気密性が低下することがなく、ウェットワイパーの乾燥を防止するウェットワイパー収納容器を提供することを目的とする。
【課題を解決するための手段】
【０００７】
本発明のウェットワイパー収納容器は、上面に開口部を有する容器本体と、前記開口部を閉鎖する蓋体とを有し、前記容器本体は、前記開口部の全周を囲う第１リブと、前記第１リブの全周を囲う第２リブとが形成され、前記第１リブと前記第２リブの間隙に環状のパッキンを備え、前記蓋体は、前記開口部を閉鎖した状態において、前記パッキンを押圧し前記開口部の全周を囲う第３リブと、前記第３リブの内側に第３リブに沿って前記開口部の全周を囲う第４リブとが形成され、前記第４リブは前記容器本体の側壁の延長線上に位置することを特徴とする。
【０００８】
前記蓋体は、前記開口部を覆う天板部と、前記天板部に連続し前記容器本体の側壁を覆う側板部と、を有することを特徴とする。
【０００９】
前記蓋体は、一辺が回転可能に前記容器本体に保持され、前記一辺と対向する側の前記側板部には、前記容器本体に設けられた突起部と係合する固定部が設けられていることを特徴とする。
【００１０】
前記固定部は、前記側板部の横方向の中央に設けられ、前記中央における縦方向において、前記蓋体の前記天板部と前記側板部とを結ぶ最大屈曲点に対応する部分から前記固定部までの蓋体の表面に沿った距離Ａと、前記固定部から前記側板部の端部までの蓋体の表面に沿った距離Ｂは、１．４Ａ≦Ｂであることを特徴とする。
【００１１】
前記蓋体の開き角は、９０°以上１２０°以下の範囲であることを特徴とする。
【００１２】
前記パッキンは、環状に形成されており、断面が中空円筒状であることを特徴とする。
【００１３】
前記容器本体は、前面と、前記前面に対向し底面からの高さが前記前面よりも高い後面とを有し、前記前面は前記容器本体の外側に凸となる曲面に形成されていることを特徴とする。
【００１４】
前記前面の横方向の長さは、収納されるウェットワイパーの短辺の長さ以上、長辺の長さ未満であり、前記後面の高さは、前記収納されるウェットワイパーの長辺の長さ以上であることを特徴とする。
【発明の効果】
【００１５】
本発明によれば、長期間繰り返し使用しても気密性が低下することがなく、ウェットワイパーの乾燥を防止するウェットワイパー収納容器を提供することができる。
【図面の簡単な説明】
【００１６】
【図１】本発明のウェットワイパー収納容器を上面および前面から見た図である。
【図２】図１のウェットワイパー収納容器の蓋体２の開閉状態を示す断面図である。
【図３】図２のＡ部の拡大図である。
【図４】図２のＢ部の拡大図である。
【発明を実施するための形態】
【００１７】
以下に本発明の一実施形態について、図１〜４に基づき説明する。図１（ａ）は本実施形態のウェットワイパー収納容器を上面から見た図であり、図１（ｂ）は前面から見た図である。図２は本実施形態の蓋体の開閉状態を示す断面図であり、図３、４はそれぞれ図２のＡ部およびＢ部を拡大した断面図である。
【００１８】
本実施形態のウェットワイパー収納容器は、ウェットワイパーの出し入れを行う開口部１０が上面に設けられた容器本体１と、容器本体１の後面１２に回転可能に保持され開口部１０を閉鎖する蓋体２とからなる。容器本体１は、図２に示すように前面１１の高さが後面１２の高さよりも低く形成されている。
【００１９】
容器本体１の前面１１の横方向の長さは、収納されるウェットワイパーの短辺の長さ以上、長辺の長さ未満であり、後面１２の高さは収納されるウェットワイパーの長辺の長さよりも大きく設定されている。ウェットワイパーは長辺方向を縦にして立てた状態で容器本体１に収納され、前面１１側のウェットワイパーから順に取り出して使用される。ウェットワイパーが長辺方向を縦にして容器本体１に収納されるため、開口部１０の横方向の長さは、収納されるウェットワイパーの短辺の長さ以上であれば、長辺の長さより小さくできる。このため、ウェットワイパーを水平に展開して重ねて収納する容器や、ウェットワイパーの短辺方向を縦にして立てた状態で収納する容器に比べて、開口部１０の面積を小さくすることができ気密性を高められる。また、底面の面積も小さくできるので、ウェットワイパー収納容器の設置に必要な面積は小さくなる。
【００２０】
本実施形態では、容器本体１の前面１１を図１（ａ）に示すように外側に凸となる曲面としている。前面１１を曲面とすることにより、ウェットワイパー収納容器の美粧性が高まることに加え、開口部１０が前面１１側で外側に凸に広くなるため、使用者が前面１１側からウェットワイパーを順に取り出すことが容易となる。前面１１を外側に凸となる曲面とする場合、前面１１に通常の粘着ラベルの貼付やシルク印刷による表示が困難になるが、円筒形に形成した伸縮性フィルムに製品表示やデザイン等を施し、容器本体１に装着することにより、容器本体１の前面１１に表示を行うことができる。伸縮性フィルムとしては、ポリエチレン、ポリエステル、ウレタン、ポリ塩化ビニル等が利用できる。
【００２１】
本実施形態のウェットワイパー収納容器を上から見た図１（ａ）中の破線は、蓋体２に覆われた容器本体１の開口部１０周辺の構造を示している。開口部１０周囲には鍔状の突出部が形成されており、この突出部に開口部１０の全周を囲う第１リブ３と、第１リブ３の全周を囲う第２リブ４が形成されている。そして、図３、４に示すように、第１リブ３と第２リブ４によって形成された溝状の間隙には、端部の無い環状のパッキン５が取り付けられている。
【００２２】
蓋体２には開口部１０を閉鎖した状態でパッキン５の上に位置し、容器本体１の開口部１０全周を囲う第３リブ６が形成されている。蓋体２が閉じられると第３リブ６はパッキン５を押圧する。パッキン５はゴムや樹脂などの弾性を有する材料により環状に形成されたもの、およびパッキン５の断面が中空円筒状に形成されたものであり、第３リブ６により押圧されることによって変形する。変形したパッキン５によって、第３リブ６と容器本体１の間隙が封止され、ウェットワイパー収納容器の気密性が保たれる。
【００２３】
さらに、蓋体２には第３リブ６の内側に、第３リブ６に沿って容器本体１の開口部１０の全周を囲う第４リブ７が形成されている。第４リブ７は図３、４に示すように、蓋体２が閉じられた状態で、容器本体１の側壁の延長線上に配置されている。蓋体２が閉じられると、第３リブ６がパッキン５を押圧するとともに、第４リブ７が容器本体１に当接するので、ウェットワイパー収納容器の気密性がさらに高まる。
【００２４】
また、第４リブ７は第３リブ６よりも下側に突出し、容器本体１の第１リブ３の内側に嵌り込むように形成されている。このため、蓋体２を開いた状態で容器本体１または蓋体２に歪みが生じても、蓋体２を閉じる際に第４リブ７が第１リブ３の内側に嵌り込みながら、第３リブ６を正確にパッキン５の上に案内する。また、第４リブ７は蓋体２を容器本体１の側壁の延長線上で支持し、蓋体２が押されてパッキン５と第３リブ６に過剰な力が加わることを防ぐ。
【００２５】
以上のように、本実施形態では弾性を有するパッキン５が押圧されて封止が行われるため、開口部１０の全周を均一に封止することができる。また、蓋体２の開閉を繰り返し行っても、容器本体１と蓋体２の磨耗や変形によって気密性が低下することがないので、ウェットワイパー収納容器を長期間繰り返し使用することができる。
【００２６】
次に、本実施形態の蓋体２の開閉機構について説明する。蓋体２には容器本体１の開口部１０を覆う天板部２１と、天板部２１から連続して容器本体１の側面を覆う側板部２２が設けられている。図２、４に示すように、蓋体２の後面は容器本体１の後面１２にヒンジ部８により回転可能に保持されている。ヒンジ部８は第２リブ４の外側に設けられているので、開口部１０の全周を囲う第１〜第４リブの配置に影響を与えることはない。
【００２７】
蓋体２の前面側の側板部２２の横方向中央には、容器本体１に設けられた突起部と係合して蓋体２を固定する固定部９が設けられている。図２に示すようにヒンジ部８を回転軸として、開いた蓋体２を閉じて開口部１０を閉鎖すると、図３に示すように前面側の側板部２２の内側に設けられた固定部９が、容器本体１に設けられた突起部と係合する。固定部９は容器本体１に設けられた突起部と係合して、蓋体２が開く方向に回転することを規制するので、第３リブ６がパッキン５を押圧した状態が保持される。蓋体２を開く場合は、側板部２２の端部Ｐ３を外側に押し広げれば、固定部９の係合が解除され蓋体２を開くことができる。
【００２８】
蓋体２を開くために使用者が側板部２２の端部Ｐ３を外側に押し広げる方向に力を加えると、端部Ｐ３に加わる力によって、天板部２１と側板部２２を結ぶ最大屈曲点に対応する部分Ｐ１で変形し、固定部９の係合が解除される。この端部Ｐ３に加わる力によって蓋体２が変形する点Ｐ１（固定部９の係合を解除する際に蓋体２が変形する点）、固定部Ｐ２、端部Ｐ３は、縦方向のＰ１からＰ２までの蓋体２の表面に沿った距離Ａに対して、Ｐ２からＰ３まで蓋体２の表面に沿った距離Ｂが、１．４Ａ≦Ｂとなるように設定することが好ましい。距離Ｂを距離Ａの１．４倍以上とすることにより、固定部９の係合を少ない力で解除して蓋体２を開けることができ、清掃中にウェットワイパーの取り出しを楽に行える。
【００２９】
また、ヒンジ部８を回転軸とする蓋体２の開き角は、９０°以上１２０°以下とすることが好ましい。９０°未満では、ウェットワイパー収納容器からウェットワイパーを取り出し難くなり、１２０°より大きいと、蓋の重さでウェットワイパー収納容器が転倒する。
【００３０】
以上、本発明を実施の形態に基づき説明したが、本発明は実施の形態例に限定されるものではなく、その要旨を逸脱しない範囲で種々変更が可能である。
【符号の説明】
【００３１】
１            容器本体
２            蓋体
２１          天板部
２２          側板部
３            第１リブ
４            第２リブ
５            パッキン
６            第３リブ
７            第４リブ
８            ヒンジ部
９            固定部
１０          開口部
【図１】
2016124545.tif 000003
【図２】
2016124545.tif 000004
【図３】
2016124545.tif 000005
【図４】
2016124545.tif 000006